(57)【特許請求の範囲】
【請求項１】
下地材の表面に外装材を敷設してなる屋根構造の軒側端部に軒先唐草を用いた軒先構造であって、
前記軒先唐草は、下地材の表面方向に配される平坦部と、該平坦部の裏面側から垂下する当接部と、該当接部の下端から軒側に突出状に延設された突出状部分と、前記突出状部分とで空間部を形成しつつ棟側上方へ向かう戻り部と、前記平坦部から前記当接部の上端よりも軒側へ延在する軒側平坦部と、該軒側平坦部の軒端を下方へ折曲した係合部とを備え、
前記当接部に、下地材の軒端を当接させて装着させ、前記軒側平坦部の軒端に設けた係合部に外装材の軒側端に設けた軒側成形部を係合させつつ、前記平坦部上に外装材を敷設し、この軒先唐草の下方には軒樋を固定した屋根構造とすることを特徴とする軒先唐草を用いた軒先構造。
【請求項２】
戻り部の上端を下地材の裏面に当接させて支持することを特徴とする請求項１に記載の軒先唐草を用いた軒先構造。
【発明の詳細な説明】
【技術分野】
【０００１】
本発明は、雨水を雨樋に確実に導くことができ、また野地板やスレート板等の下地材の軒端が水に濡れて劣化することがない軒先唐草を用いた軒先構造に関する。
【背景技術】
【０００２】
金属製の屋根板の軒先構造としては、野地板やスレート板の軒端に略Ｔ型の唐草を釘止めした構造が広く用いられている。
例えば特許文献１には、野地板に敷設する水平状片から縦片が略垂直状に垂下する軒先唐草が提案されている。
また、特許文献２に記載の軒先唐草は、軒先唐草の縦片を水切板に沿わせた構造が提案されている。
さらに、特許文献３にも、縦片を略垂直状とした軒先固定部材が記載されている。
【０００３】
【特許文献１】実開平４−７６８４７号公報（第１図）
【特許文献２】特許第２７１５０６３号公報（図１、図３）
【特許文献３】実開昭５３−１２０４２２号公報（第１図）
【発明の開示】
【発明が解決しようとする課題】
【０００４】
前記従来の軒先唐草は、雨水の浸入による漏水を生じにくい構造として提案されているが、それぞれに充分な効果を得るには至っていない。例えば特許文献１に記載の軒先唐草では、軒側からの吹き上げによって雨水が野地板の裏面に吹き付けられてしまう。また、特許文献２では、軒先唐草の下辺を水切板に沿わせているため、雨水の直接的な吹き付けは防止できるが、水切板との隙間から毛細管現象によっても雨水が浸入してしまう。さらに、特許文献３では、前記特許文献１と同様に、軒側からの吹き上げによって雨水が野地板の裏面に吹き付けられるが、雨水は略コ字状の空間部の隅部に溜まってしまう。このように雨水が溜まると、雨水と野地板の軒端下部とが接触し、野地板の軒端が湿潤状態となって著しく劣化してしまう。特に中小規模の建築物（住宅や集合住宅等）においては、野地材として構造用合板が用いられることが多く、その場合、野地材の軒先部分が雨水に吹き込みによって腐食（劣化）する恐れが高い。そして、野地板が腐食すると、軒先唐草を固定しているビス等の固定具の固定強度が低下し、結果的に建築物としての軒先の強度が低下する。
【０００５】
そこで、本発明は、前記の問題点を解消することができ、雨水を雨樋に確実に導くことができ、また野地板やスレート板等の下地材の軒端が水に濡れて劣化することがない軒先唐草、及びそれを用いた軒先構造を提案することを目的とする。
【課題を解決するための手段】
【０００６】
本発明は、上記に鑑み提案されたものであって、下地材の表面に外装材を敷設してなる屋根構造の軒側端部に軒先唐草を用いた軒先構造であって、前記軒先唐草は、下地材の表面方向に配される平坦部と、該平坦部の裏面側から垂下する当接部と、該当接部の下端から軒側に突出状に延設された突出状部分と、前記突出状部分とで空間部を形成しつつ棟側上方へ向かう戻り部と、前記平坦部から前記当接部の上端よりも軒側へ延在する軒側平坦部と、該軒側平坦部の軒端を下方へ折曲した係合部とを備え、前記当接部に、下地材の軒端を当接させて装着させ、前記軒側平坦部の軒端に設けた係合部に、外装材の軒側端に設けた軒側成形部を係合させつつ、前記平坦部上に外装材を敷設し、この軒先唐草の下方には軒樋を固定した屋根構造とすることを特徴とする軒先唐草を用いた軒先構造に関するものである。
【０００７】
また、本発明は、前記軒先構造において、戻り部の上端を下地材の裏面に当接させて支持することを特徴とする軒先唐草を用いた軒先構造をも提案するものである。
【発明の効果】
【０００８】
本発明の軒先唐草を用いた軒先構造は、野地板やスレート板等の下地材を敷設する平坦部の裏面側から垂下する当接部の下端に延設された突出状部分が軒側へ突出しているため、軒先唐草に吹き付ける雨水を雨樋に円滑に導くことができる。
さらに、突出状部分と戻り部とで形成される空間部は、軒先側へ突出する形状であるため、この空間部に仮に雨水が溜まっても、雨水と下地材の軒端下部とが接触することがなく、下地材の劣化を生ずることがない。そして、下地材の劣化（腐食）を防ぐことで、軒先唐草の固定強度を安定的に維持することができる。
【０００９】
本発明の軒先構造は、前述のような軒先唐草を用いたものであって、前述のように下地材の湿潤による劣化を招くことがないため、金属板である外装材の腐食についても生ずることがないものとなる。
【００１０】
特に戻り部の上端を下地材の裏面に当接させて支持する場合には、下地材を装着させる際にも容易に且つ安定に取り付けることができる。
【発明を実施するための最良の形態】
【００１１】
図１に示す本発明の実施例である軒先唐草１は、平坦部１１と、該平坦部１１の裏面側から垂下する当接部１４０と該当接部１４０の下端から軒側に突出状に成形された突出状部分１４１とで空間部１７を形成しつつ棟側上方へ向かう戻り部１６と、前記平坦部１１から前記当接部１４０の上端よりも軒側へ延在する軒側平坦部１２とを備える構成である。
そして、その特徴的な構成とは、突出状部分１４１（湾曲状に突出する反り返り部分）が軒側（図面左側）に突出状に成形され、当接部１４０の下端から前記突出状部分１４１とで空間部を形成しつつ棟側上方へ向かう戻り部１６を設けた構成である。なお、図示実施例では、当接部１４０の下端が軒側に突出状に成形された突出状部分１４１を、湾曲状の反り返り部分としたが、単に軒側へ突出する傾斜片でもよいし、一回又は二回以上屈曲した屈曲片状でもよく、特に限定するものではない。
【００１２】
前記図１の本発明の軒先唐草１は、当接部１４０の下端の突出状部分１４１を軒側に突出状に成形される構成であるため、吹き付ける雨水を雨樋に円滑に導くことができる。
これに対し、従来の（例えば前記特許文献１，３の）軒先唐草は、平坦部の裏面側から縦片が略垂直状に垂下する構成であるため、雨水が雨樋に落下する際に軒側からの吹き上げによって雨水が下地材の裏面に吹き付けられることがあった。
尚、図中１２１は、軒側平坦部１２の表面側に形成した水抜き溝であって、毛細管作用により浸入した雨水をこの水抜き溝１２１にて排水する目的で形成した。また、図中１３は、軒側平坦部１２の軒端を下方へ折曲した係合片であり、後述する外装材３の軒側成形部３２を係合させるものである。
【００１３】
このような本発明の軒先唐草１は、特にその素材を限定するものではないが、耐食性や耐久性に優れたアルミ押出材、塗装鋼板、めっき鋼板、ステンレス鋼板、塗装ステンレス鋼板等を好適に用いることができ、簡易な形状であるため、部材作製に要するコストも低く抑えることができる。
【００１４】
図２（ａ）は、前記軒先唐草１を用いた軒先構造を示す実施例であり、合板等からなる野地板５の表面に縦葺き屋根板である外装材３を敷設してなる屋根構造の軒側端部に軒先唐草１を用いた軒先構造である。
【００１５】
この軒先構造は、躯体７に裏面を支持させた状態で下地材６が敷設され、この下地材６の軒端には、前記構成の軒先唐草１を、その突出状部分１４１に下地材６の軒端が当接し、戻り部１６の上端が下地材６の裏面に当接して支持するように配設する。尚、下地材６としては、合板や木毛板、あるいは硬質断熱板など、特に素材を限定するものではなく、屋根材の裏面に配される下地材６として公知の材料を用いることができる。
この図２より明らかなように、突出状部分１４１と戻り部１６とで形成される空間部１７に仮に雨水が溜まったとしても、その軒先隅部は軒側にせり出して雨水と下地材６の軒端下部とが接触することがないので、劣化を生ずることがない。
これに対し、前記従来（例えば前記特許文献３の）の軒先唐草では、略コ字状に空間部を形成したので、その隅部に雨水が溜まると、雨水と下地材の軒端下部と接触して下地材の軒端が湿潤状態となって著しく劣化してしまうことがあった。
【００１６】
下地材６の軒端に取り付けた軒先唐草１の上には、アスファルトルーフィング、ルーフィングフェルトあるいはゴムシートなどの防水シート（図面では一点鎖線で表した）が敷設され、その上から固定具１８にて平坦部１１を躯体７に締結固定している。
【００１７】
さらに、軒先唐草１の軒側平坦部１２の軒端（係合部１３）に、軒側成形部３２を係合させつつ平坦部１１上に外装材３を敷設して屋根構造を構築する。
【００１８】
この実施例における屋根構造は、図２（ｂ）に示すように左右側縁を立ち上げた縦葺き屋根板（外装材３）を用いた外装構造である。この外装構造は、外装材３と保持部材４とキャップ材５とよりなり、以下に簡単に説明する。
外装材３は、左右側縁の基端に下方へ窪む凹状溝が設けられ、さらにはその外側に上方へ隆起する隆起部が設けられ、この隆起部にキャップ材５の左右の脚片の下端が接面状に当接する構成であり、流れ方向に連続する通し材でもよいし、定尺の外装材を公知の連結構造を用いて接続したものでもよく、表面化粧鋼板、ラミネート鋼板、メッキ鋼板、ステンレス鋼板、アルミ合金板、チタン合金板、銅板、真鍮板、鉛板等の公知の金属素材、炭素繊維積層板、硬質樹脂板等より成形され、素材が金属板の場合にはロール成形、或いはプレス成型、或いは両者の組合せにより成形（成型）される。
前記外装材３を下地に保持する保持部材４は、下地への固定部と、前記外装材３，３の左右側縁を保持する保持部と、キャップ材５を係合させる被係合部とを有する。この保持部材４は、短尺なピース材であっても長尺であってもよく、下地に固定した保持部材４に外装材３を臨ませ、その後に保持部材２の一部を変形させて外装材３の左右側縁を保持するものである。
前記左右の外装材３，３の左右側縁間を覆うキャップ材５は、逆Ｖ字状の覆い部と、前記保持部材４の被係合部に係合させる内向き略く字状の係合部と、キャップ材５の敷設状態において左右に拡開する脚片と、を有する。このキャップ材３は、前記外装材３と同様に流れ方向に連続する通し材でもよいし、定尺の外装材を公知の連結構造を用いて接続したものでもよく、前記外装材３と同様の素材にて形成すればよい。
【００１９】
躯体７の上部（上端付近）には、前記軒先唐草１の下方に臨むように、化粧樋材８と外側枠材９の二部材から構成される軒樋が固定されている。
そのため、軒先唐草１の当接部１４０に吹き付けられた雨水は、軒側へ突出する下端（突出状部分）１４１から軒樋内に導かれて排水される。
【００２０】
このような構成を軒先構造は、前述の軒先唐草１を用いたので、当接部１４０に吹き付ける雨水を雨樋に円滑に導くことができる。
これに対し、従来の軒先唐草では、垂直状に形成された当接部１４０が、敷設状態においては、棟側、即ち下地材側へ傾斜するように配設され、吹き付けられる雨水は、この当接部１４０の下端から下地材側へ回り込み易いため、雨水が雨樋に導かれずに、下地材の裏面に吹き付けられることがあった。そして、下地材が雨水によって腐食（劣化）すると、軒先唐草を固定している固定具（ビス等）の固定強度が低下し、結果的に建築物としての軒先の強度が低下することがあった。
また、本発明の軒先構造は、空間部１７は軒先側へせり出す形状であるため、この空間部１７に仮に雨水が溜まっても、雨水と下地材６の軒端下部とが接触することがなく、下地材６の湿潤による腐食（劣化）を招くことがなく、軒先唐草の固定強度を安定的に維持することができる。
【図面の簡単な説明】
【００２１】
【図１】本発明の軒先唐草の一実施例を示す側面図である。
【図２】（ａ）本発明の軒先唐草を用いた軒先構造の一実施例を示す側断面図、（ｂ）それに用いた外装構造の縦断面図である。
【符号の説明】
【００２２】
１  軒先唐草
１１  平坦部
１２  軒側平坦部
１３  係合部
１４０ 当接部
１４１  下端（突出状部分）
１６  戻り部
１７  空間部
１８  固定具
３  外装材
４  保持部材
５  キャップ材
６  下地材
７  躯体
８  化粧樋材
９  外側枠材
【図１】
0005743126.tif 000002
【図２】
0005743126.tif 000003